(57)【特許請求の範囲】
【請求項１】
滅菌された左右一対の手術用手袋と、
前記左右一対の手術用手袋の全体を直接的に包む、滅菌された包装紙と、
滅菌された内面を有し、医療用具としては前記包装紙で全体的に包まれた前記左右一対の手術用手袋のみを前記内面内に直接に収納・密封する包装袋と、
前記包装紙を全面的に広げた状態での前記包装紙の平面視に於いて所定の形状の周縁に沿って且つ一周分に亘り前記包装紙に直接に入れられた複数のミシン目と
を備え、
前記包装紙は、前記複数のミシン目を除いて、全面的に貫通孔を有しておらず、
前記複数のミシン目の各々は、連なって成る略線状の一つの孔である
ことを特徴とする、手術用手袋具。
【請求項２】
請求項１に記載の手術用手袋具であって、
前記所定の形状の前記周縁とは所定の直径を有する円の円周である
ことを特徴とする、手術用手袋具。
【請求項３】
請求項１又は２に記載の前記手術用手袋具に於ける前記複数のミシン目が入れられた前記包装紙を有する
ことを特徴とする、手術用手袋の包装紙。
【請求項４】
滅菌された左右一対の手術用手袋と、
前記左右一対の手術用手袋の全体を直接的に包む、滅菌された包装物と、
滅菌された内面を有し、医療用具としては前記包装物で全体的に包まれた前記左右一対の手術用手袋のみを前記内面内に直接に収納・密封する包装袋と、
前記包装物を全面的に広げた状態での前記包装物の平面視に於いて所定の形状の周縁に沿って且つ一周分に亘り前記包装物に直接に入れられた複数のミシン目と
を備え、
前記包装物は、前記複数のミシン目を除いて、全面的に貫通孔を有しておらず、
前記複数のミシン目の各々は、連なって成る略線状の一つの孔である
ことを特徴とする、手術用手袋具。
【請求項５】
請求項４に記載の前記手術用手袋具に於ける前記複数のミシン目が入れられた前記包装物を有する
ことを特徴とする、手術用手袋の包装物。
【請求項６】
滅菌された左右一対の手術用手袋と、
前記左右一対の手術用手袋の全体を直接的に包む、滅菌された包装物と、
滅菌された内面を有し、医療用具としては前記包装物で全体的に包まれた前記左右一対の手術用手袋のみを前記内面内に直接に収納・密封する包装袋と、
前記包装物が前記包装物の上面を上方向にして広げられて配設された状態に於いて、滅菌された右手用の手術用手袋を嵌めた右手及び滅菌された左手用の手術用手袋を嵌めた左手による、所定の形状の周縁に沿った且つ一周分に亘る力の作用に応じて、平面視に於いて前記所定の形状を有する貫通孔を前記包装物に配設し得る機能を有する貫通孔配設構造部と
を備え、
前記左右一対の手術用手袋が前記包装物から取り除かれた直後の前記包装物の上面は、前記貫通孔配設構造部を除いて、非貫通の平坦な面より成る
ことを特徴とする、手術用手袋具。
【発明の詳細な説明】
【技術分野】
【０００１】
本発明は、手術用手袋の包装物の構成に関する。
【背景技術】
【０００２】
従来、種々の手術用手袋乃至は医療用手袋が提案されている（例えば、特許文献１〜４を参照。）。
【先行技術文献】
【特許文献】
【０００３】
【特許文献１】特開平０９−１２２１４３号公報
【特許文献２】実全昭６２−１６６８１７号公報
【特許文献３】特開昭５９−０５７６４６号公報
【特許文献４】特開２００８−０４３５３７号公報
【発明の概要】
【発明が解決しようとする課題】
【０００４】
医師・看護師等は、手術の際には、滅菌された包装紙で包まれた、滅菌された左右一対の手術用手袋が入った包装袋の一端を破って、その中に入っている左右一対の手術用手袋を取り出して上記包装紙を広げた上で、減菌状態の左右一対の手術用手袋の各々を対応する手に嵌めている。そして、医師等は、予め中央部に穴が形成されており且つ滅菌された、比較的大きな寸法のシート（材質は不織布より成る。）を患者の身体上に配設した上で、上記シートの穴を介して患部に対する所定の手術を行っている。この場合、左右一対の手術用手袋を包み込んでいた上記包装紙は、手術用手袋の装着後は、不要なゴミとして捨てられている。
【０００５】
しかしながら、手術時のコスト低減化・手術時のゴミ削減化・手術に備えた保管場所の適切化等の種々の観点から、上記包装紙が、単なる包装紙としての利用のみならず、その他の物として有効に再利用され得ないかが、検討課題として浮上する。
【０００６】
（発明の目的）
この発明はその様な問題点に鑑みて成されたものであり、その主目的は、手術時に於いて、滅菌された表面（上面）を有するシートとしても利用可能な手術用手袋用の「包装物」を備えた手術用手袋具を提供する点にある。
【課題を解決するための手段】
【０００７】
本発明の主題に係る手術用手袋具は、滅菌された左右一対の手術用手袋と、前記左右一対の手術用手袋の全体を直接的に包む、滅菌された包装紙と、滅菌された内面を有し、医療用具としては前記包装紙で全体的に包まれた前記左右一対の手術用手袋のみを前記内面内に直接に収納・密封する包装袋と、前記包装紙を全面的に広げた状態での前記包装紙の平面視に於いて所定の形状の周縁に沿って且つ一周分に亘り前記包装紙に直接に入れられた複数のミシン目とを備え、前記包装紙は、前記複数のミシン目を除いて、全面的に貫通孔を有しておらず、前記複数のミシン目の各々は、連なって成る略線状の一つの孔である
ことを特徴とする。
【０００８】
以下、本発明の様々な具体化を、添付図面を基に、その効果・利点と共に、詳述する。
【図面の簡単な説明】
【０００９】
【図１】本発明の実施の形態１に係る手術用手袋具の構成を模式的に示す正面図である。
【図２】本発明の実施の形態１に係る手術用手袋具の包装紙を広げた状態での包装紙及び左右一対の手術用手袋の構成を模式的に示す上面図である。
【図３】本発明の実施の形態１に係る手術用手袋具の、広げた状態での包装紙の構成を模式的に示す上面図である。
【図４】本発明の実施の形態１に係る手術用手袋具の包装紙のミシン目を全て切り取った後の包装紙の上面側の構成を模式的に示す上面図である。
【発明を実施するための形態】
【００１０】
（実施の形態１）
【００１１】
＜手術用手袋具の中核部＞
本実施の形態に係る手術用手袋具の特徴部は、滅菌された左右一対の手術用手袋を全体的に包む、滅菌された包装紙の略中央部に、容易に切離し可能な複数のミシン目が配設されている点にある。換言すれば、手術用手袋具に於ける手術用手袋用の上記包装紙は、当該包装紙が全面的に広げられて配設された状態に於いて、滅菌された右手用の手術用手袋を嵌めた右手及び滅菌された左手用の手術用手袋を嵌めた左手による、円の円周に沿った且つ一周分に亘る力の作用（切離し作用）に応じて、平面視に於いて所定の直径の円形を有する貫通孔を当該包装紙の略中央部に配設し得る機能を有する「貫通孔配設構造部」を備える。以下、本実施の形態に係る手術用手袋具の構成を詳述する。
【００１２】
＜手術用手袋具の構成＞
図１は、本実施の形態に係る手術用手袋具１００の構成を透視図として模式的に示す正面図である。手術用手袋具１００は、大要、包装袋１、包装紙（「包装物」乃至は「包装体」に該当。）２、及び、左右一対の手術用手袋３（３Ｒ，３Ｌ）の構成要素より成る。即ち、包装袋１は、ガンマ線等の放射線の照射によって滅菌された（無菌状態にある。）内面を有しており、包装紙２により全体的に包まれた左右一対の手術用手袋３を当該内面内に密封している。ここで、包装紙２及び左右一対の手術用手袋３も、同様に、ガンマ線等の放射線の照射によって滅菌されている（無菌状態にある。）。滅菌された左右一対の手術用手袋３の各々は、合成ゴムより成る。尚、図１では、図示の便宜上、右手用手術用手袋３Ｒ及び左手用手術用手袋３Ｌは、互いに重なり合って一体化された状態として、描かれている。そして、折り込まれることで左右一対の手術用手袋３の全体を包み込んでいる包装紙２の両面の内で、この密封状態に於いては無菌状態にある下面（裏面）２ＳＬが、包装袋１を通じて、透視されている（一点鎖線表示）。加えて、図１に於いては、後述する複数のミシン目４の下面（裏面）２ＳＬ側の一部分も、透視されて描かれている。又、図１に示される参照符号１Ｃは、滅菌された包装紙２により全体的に包み込まれた左右一対の手術用手袋３をその包装状態のままで包装袋１より取り出すための包装袋１の切り口部である。
【００１３】
図２は、手術用手袋具１００から取り出されて且つ広げられた状態にある包装紙２及び包装紙２の上面（表面）２ＳＵ上に左右対称に配置された左右一対の手術用手袋３（３Ｒ，３Ｌ）の構成を模式的に示す上面図である。図２の状態に於いては、包装紙２の下面（裏面）２ＳＬは、包装紙２をその上に配置した物の表面と当接しているので、最早、この段階では無菌状態にはない。他方、包装紙２の上面（表面）２ＳＵの全体は、それまでは折り込まれていて直接に視認出来ない状態にあったので、包装紙２が広げられたことで何物にも当接すること無く上方に向くこととなり、依然として滅菌された無菌状態にある。又、左右一対の手術用手袋３（３Ｒ，３Ｌ）も、図２に示される状態に於いては、滅菌されて無菌状態にある。
【００１４】
ここで、図２に於いて一点鎖線で表示されている各ライン２ＬＲ，２ＬＣ，２ＬＬ，２ＬＴ，２ＬＢは、滅菌された左右一対の手術用手袋３（３Ｒ，３Ｌ）を当該包装紙２の上面（表面）２ＳＵで以って包み込むための折り曲げ線に該当する。包装紙２の上面（表面）２ＳＵ側で左右一対の手術用手袋３（３Ｒ，３Ｌ）の全体を包み込んで包装紙２により左右一対の手術用手袋３（３Ｒ，３Ｌ）の全体を包装する方法の一例として、図２の各ライン２ＬＲ，２ＬＣ，２ＬＬ，２ＬＴ，２ＬＢは記載されている。そして、平面視に於いて、上面（表面）２ＳＵの左端とライン２ＬＬとの間隔、両ライン２ＬＬ，２ＬＣ間の間隔、両ライン２ＬＣ，２ＬＲ間の間隔、及び、ライン２ＬＲと上面（表面）２ＳＵの右端との間隔は、互いに相等しい（間隔Ｌ）。又、平面視に於いて、上面（表面）２ＳＵの上端とライン２ＬＴとの間隔及び上面（表面）２ＳＵの下端とライン２ＬＢとの間隔も、互いに等しい（間隔Ｔ）。
【００１５】
そこで、図２に示される構成例に基づき、左右一対の手術用手袋３（３Ｒ，３Ｌ）の全体が包装紙２によって包み込まれた状態に於いて、左右一対の手術用手袋３（３Ｒ，３Ｌ）が図１の包装袋１の内面内に収納・密封される態様を記載する。先ず、包装紙２の上面（表面）２ＳＵ上に、中央のライン２ＬＣを対称軸として互いに線対称の配置関係となる様に、左右一対の手術用手袋３（３Ｒ，３Ｌ）の各々が配置される。その上で、包装紙２の左右の各ライン２ＬＲ，２ＬＬに沿って包装紙２が内側に向けて折り曲げられる。これにより、平面視に於いて、左右一対の手術用手袋３（３Ｒ，３Ｌ）の表面全体は、包装紙２の上面（表面）２ＳＵによって被覆される。その状態で、包装紙２の上下の各ライン２ＬＴ，２ＬＢに沿って包装紙２が更に内側に向けて折り曲げられると共に、更に、中央のライン２ＬＣに沿って包装紙２が内側に向けて折り曲げられる。そして、左右一対の手術用手袋３（３Ｒ，３Ｌ）の全体を包む包装紙２は、図１の包装袋１の内面内に収納され、包装袋１は密閉される。その上で、手術用手袋具１００の全体は、ガンマ線等の放射線によって照射される。その結果、包装袋１の内面全体、包装紙２の両面２ＳＵ，２ＳＬの全体、及び包装紙２で包まれた左右一対の手術用手袋３（３Ｒ，３Ｌ）の全体が滅菌された状態、即ち、無菌状態となる。これにより、滅菌された左右一対の手術用手袋３（３Ｒ，３Ｌ）は、図１に示される様に、滅菌された包装紙２によって全体的に包まれた状態で、滅菌された包装袋１の内面内に収納・密封されることとなる。
【００１６】
尚、図２に示される状態では、滅菌された左右一対の手術用手袋３（３Ｒ，３Ｌ）の背後に於いて、滅菌された包装紙２に入れられた複数のミシン目（連続した小穴又は点線状の孔より成る。）４の一部が視認されている。
【００１７】
図３は、手術用手袋具１００の包装袋１より取り出されて広げられた状態にある包装紙２のみの構成を模式的に示す上面図である。この状態に於いては、滅菌された左右一対の手術用手袋３（３Ｒ，３Ｌ）は、包装紙２の滅菌された上面（表面）２ＳＵより既に取り除かれている。図３に示される通り、包装紙２の平面視に於いて、滅菌された包装紙２の略中央部には、手で容易に切離し可能な複数のミシン目（Perforation）４が配設されている。更に詳述すれば、包装紙２の平面視に於いて、その各々が包装紙２を貫通する略線状の孔を成し且つ手で切離し自在に一定の間隔を空けて連なって成る複数のミシン目４が、中心点Ｃで且つ所定の直径ｄを有する円４Ｃの円周に沿って且つ当該円４Ｃの一周分に亘り、滅菌された包装紙２に入れられている。
【００１８】
この様な円４Ｃの円周（「所定の形状の周縁」の一例に該当。）に沿った且つその一周分に亘る、人の手からの切離し力（の作用）を受けて、複数のミシン目４の全てが順次に切り離されていく。その結果、平面視に於いて、中心点Ｃで且つ所定の直径ｄを有する円形状を成す貫通孔５が、包装紙２の略中央部に形成される。その状態を模式的に示す図が、図４である。図４に例示される様に、円形状の貫通孔５は、包装紙２の略中央部に於いて、包装紙２の未だに滅菌状態にある上面（表面）２ＳＵと、最早、無菌状態ではなくなった包装紙２の下面（裏面）２ＳＬとの間を、貫通している。
【００１９】
尚、円４Ｃの所定の直径ｄは任意な値に設定されるが、好ましい一例としては、例えば６ｃｍである（直径ｄ＝６ｃｍ）。又、滅菌された包装紙２の平面視での形状及び寸法の各々も任意であるが、実際の手術時の状況を考慮すると、滅菌された包装紙２は、より拡大化された平面を成す寸法を有し、且つ、平面視に於いて正方形の形状を成すものであることが好ましい一例と言える。
【００２０】
＜手術用手袋具乃至は手術用手袋の包装紙の機能・利点＞
今、患者に対して手術を行う医師等が、当該手術の際に、滅菌された左右一対の手術用手袋３（３Ｒ，３Ｌ）を使用するものとする。先ず、医師等は、図１の包装袋１の上端部を、その切り口部１Ｃより、切り裂く。そして、医師等は、切り裂かれた包装袋１より、滅菌された包装紙２で包まれた、滅菌された左右一対の手術用手袋３（３Ｒ，３Ｌ）を取り出す。この段階で、包装紙２の下面（裏面）２ＳＬの一部（医師等の手で掴まれた部分。）は無菌状態ではなくなる。更に、医師等は、滅菌された左右一対の手術用手袋３（３Ｒ，３Ｌ）を包む包装紙２を、平面を有する物の当該平面上に配置した上で、図２に例示される様に、折りたたまれた状態にある包装紙２を全体的に広げる。この段階で、包装紙２の下面（裏面）２ＳＬの全体は、無菌状態ではなくなる。これに対して、包装紙２の上面（表面）２ＳＵは無菌状態にある。その後、医師等は、包装紙２の上面（表面）２ＳＵに無菌状態で配設されている右手用手術用手袋３Ｒ及び左手用手術用手袋３Ｌの各々を、各手袋の手の入り口部を摘まみつつ、上面（表面）２ＳＵより気を付けながら取り出して、右手及び左手に嵌める。その上で、医師等は、図３に例示される複数のミシン目４の全体を、滅菌された右手用の手術用手袋を嵌めた右手及び滅菌された左手用の手術用手袋を嵌めた左手を用いて円４Ｃの円周に沿って切り離して、図４に例示される貫通孔５を包装紙２の略中央部に形成する。そして、医師等は、滅菌された右手用の手術用手袋を嵌めた右手及び／又は滅菌された左手用の手術用手袋を嵌めた左手で、無菌状態にある包装紙２の上面（表面）２ＳＵを掴みつつ、患者の手術対象である患部及びその周囲が貫通孔５内に位置・顕出する様に、包装紙２の下面（裏面）２ＳＬを患者の患部周辺に当接させて包装紙２を患者の身体部上に配設する。これによって、既述した従来の大型手術用シートの予め形成された穴と同様に、医師等は、患者の身体部上に配設された包装紙２の貫通孔５内に顕出された患部に対して、所定の手術を実施することとなる。その際、患者の身体部上に配設された包装紙２の上面（表面）２ＳＵは、依然として、滅菌された状態にある。その結果、医師等は、患者の身体部上で全面的に広げられた包装紙２の清潔な上面（表面）２ＳＵ及び貫通孔５並びに清潔な左右一対の手術用手袋３（３Ｒ，３Ｌ）を用いて、手術を適切に行うことが出来る。
【００２１】
以上の記載より、本実施の形態に係る手術用手袋具１００は、以下の利点乃至は効果を奏する。
【００２２】
１）  従来、医師等が、手術時に、包装袋から取り出して、滅菌された左右一対の手術用手袋の各々を対応する手に嵌めた後は、最早不要なゴミとして廃却乃至は捨てられていた手術用手袋の包装紙２を、そのまま捨て去ること無く、予め中央部に穴あき加工されて滅菌されていた従来の大型シートの代替物として、手術時に使用することが出来る。従って、元来ゴミとして捨てられていた手術用手袋の包装紙２が、包装紙としての利用のみならず、そのまま手術時の必要なシートして再利用される。その結果、手術用手袋具１００は、手術時に発生するゴミの量の削減化に貢献し得る。
【００２３】
２）  上記の通り、従来の大型シートを手術時に常に使用することが不要となり、患部の状況に応じては、手術用手袋用の包装紙２のシートとしての利用で事足りることとなるので、手術時のコストを低減化させることが出来る。具体的には、次の通りである。従来、手術に当たっては、ａ）１袋当たりの単価が３８０円程の、単に滅菌されただけの包装紙で包まれた滅菌された左右一対の手術用手袋が包装袋内に入っている手術用手袋具と、ｂ）一枚当たりの単価が１３０円程の、手術時に患者の身体の患部周辺に配設される、穴あきで滅菌された上記大型シート（不織布のシート）とが、必要であった。しかし、手術用手袋具１００の利用に於いては、複数のミシン目４が単に切り離されるだけで貫通孔５が形成される包装紙２が、手術時に患者の身体の患部周辺に配設されるシートして使用されるので、一枚当たりの単価が１３０円程の、従来の上記大型シートが使用されなくなり不要となる。その分、手術時に生じるコストが低減化される。製造的に見ても、包装紙２に複数のミシン目４を入れることは容易であり、包装紙２の製造コストの増加を抑えることは実用的に容易である。
【００２４】
３）  手術用手袋具１００は、従来の手術用手袋具と形状・寸法的には略同一であるため、従来の穴あき・滅菌加工が施された上記大型シートが入った袋の形状・寸法と比較して、相対的に小さいと言える。そのため、複数の乃至は多数の手術用手袋具１００を保管しておく場所の面積が、相対的に小さくなる。従って、多数の手術用手袋具１００を保管しておくために、相対的に大きな場所が必要とならない。この様に、手術用手袋具１００は比較的にコンパクトで且つ低コストという特徴・利点を備えるので、自然災害発生後或いは内戦等の戦争発生後に、医者等は、自然災害発生場所或いは内戦地・戦争地に、手術用手袋具１００を医療用品乃至は手術用品として容易に持っていくことが出来る。
【００２５】
４）  以上の通り、手術用手袋具１００は比較的にコンパクトで且つ低コストであり、手術時に包装紙４に貫通孔５を形成する工程も単純で容易な工程である。このため、緊急外来の患者の手術（例えば、患者の手足又は頭の傷口を塞ぐための手術。）に手術用手袋具１００を適用することは好適であると、言える。
【００２６】
５）  手術用手袋は手術中に破けることもあり、この場合には、手術中に手術用手袋は新しいものに交換される。この場合でも、破けた左右一対の手術用手袋３（３Ｒ，３Ｌ）は、新たな手術用手袋具１００内より取り出された、滅菌されて清潔な左右一対の手術用手袋３（３Ｒ，３Ｌ）に交換される。その際、患者の身体上に配設されている包装紙２も、新たに形成された貫通孔５を有し且つ滅菌されて清潔な上面２ＳＵを有する新たな包装紙２に容易に交換可能である。
【００２７】
６）  既述の通り、複数のミシン目４は、所定の直径ｄを有する円４Ｃの円周に沿って且つ円４Ｃの一周分に亘り包装紙２に入れられている。そのため、医師等が、滅菌された右手用の手術用手袋を嵌めた右手及び滅菌された左手用の手術用手袋を嵌めた左手を用いて、平面視に於いて所定の直径ｄを有する円系の貫通孔５を包装紙２に形成することがより一層に容易となる。
【００２８】
（変形例）
（１）  複数のミシン目は、包装紙を全面的に広げた状態での当該包装紙の平面視に於いて所定の形状の周縁に沿って且つ一周分に亘り当該包装紙に入れられている。実施の形態１では、複数のミシン目４は、所定の直径ｄを有する円４Ｃの円周に沿って且つ一周分に亘り包装紙２に入れられている。しかし、本発明に於いては、上記の「所定の形状の周縁」とは「任意の形状の周縁」であり、例えば、平面視に於いて正方形等の四角形或いは楕円形を成す形状の周縁に沿って且つ一周分に亘り包装紙に複数のミシン目が入れられていても良い。
【００２９】
（２）  本発明に於いては、複数のミシン目が一周分に亘って入れられている包装紙上の位置は、略中央部のみならず、任意である。
【００３０】
（３）  本発明に於いては、左右一対の手術用手袋等の滅菌方法は、放射線照射の方法のみならず、その他の方法であっても良く、例えば、電子線照射による方法であっても良い。
【００３１】
（４）  実施の形態１では、滅菌された左右一対の手術用手袋を全体的に包む、滅菌された「包装物」乃至は「包装体」の典型例として、包装紙２が採用されているが、これに代えて、手術時に用いられる従来の大型シートと同様の材質である「不織布」（織っていない布）のシートが、「包装物乃至は包装体」として採用されても良い。この場合に於いても、実施の形態１に於ける複数のミシン目４に対応する「複数のミシン目」が、「不織布」より成るシート状の包装物（包装体）を全面的に広げた状態での当該包装物（包装体）の平面視に於いて所定の形状の周縁（例：所定の直径を有する円の円周）に沿って且つ一周分に亘り当該包装物（包装体）に入れられている。この変形例（４）に於いても、既述した実施の形態１に於ける利点・効果と同一の利点・効果が得られる。或いは、繊維を織って成るシート状の布体が、上記「包装物」乃至は「包装体」として用いられても良い。
【００３２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００３３】
本発明は、例えば、無菌状態で包装された手術用手袋を備えた手術用手袋具に適用して好適である。より具体的には、本発明は、緊急外来での手術時に用いる、滅菌された手術用手袋を備えた手術用手袋具に適用して好適である。
【符号の説明】
【００３４】
１００  手術用手袋具
１  包装袋
２  包装紙
２ＳＵ  包装紙の上面
２ＳＬ  包装紙の下面
３  手術用手袋
３Ｒ  右手用手術用手袋
３Ｌ  左手用手術用手袋
４  ミシン目
４Ｃ  円
５  貫通孔
【要約】
【課題】手術用手袋の包装紙を手術時に表面が滅菌されたシートとしても利用可能とする。
【解決手段】手術用手袋具１００の滅菌された包装袋は、滅菌された左右一対の手術用手袋と、当該左右一対の手術用手袋を全体的に包むと共に滅菌された包装紙２とを有する。包装紙２の略中央部には、包装紙２を全面的に広げた状態での包装紙２の平面視に於いて、所定の直径ｄを有する円の円周に沿って且つ一周分に亘り包装紙２に入れられた複数のミシン目４が配設されている。手術を行う医師等は、手術の直前に、滅菌された右手用手術用手袋を嵌めた右手及び滅菌された左手用手術用手袋を嵌めた左手を用いて包装紙２の上面２ＳＵ側から包装紙２のミシン目４を切り離して、包装紙２の略中央部に所定の直径ｄを有する円形状の貫通孔を形成した上で、包装紙２の下面２ＳＬを患者の身体上に被せる。これにより、表面が滅菌された、貫通孔を有する手術用シートが形成される。
【選択図】図３【図１】
0006624538.tif 000002
【図２】
0006624538.tif 000003
【図３】
0006624538.tif 000004
【図４】
0006624538.tif 000005